(57)【特許請求の範囲】
【請求項１】
アガロースを加水分解してオリゴ糖を製造するオリゴ糖の製造方法であって、
アガロースに加水分解剤の水溶液を供給する工程と、
前記アガロースを１１０〜１３０℃で加水分解する工程と、
前記アガロースの加水分解物からオリゴ糖を回収する工程と、
を有し、
前記加水分解剤は、塩化鉄（ＩＩＩ）または硫酸鉄（ＩＩＩ）であることを特徴とするオリゴ糖の製造方法。
【請求項２】
キシランを加水分解してオリゴ糖を製造するオリゴ糖の製造方法であって、
キシランに加水分解剤の水溶液を供給する工程と、
前記キシランを１４０〜１６０℃で加水分解する工程と、
前記キシランの加水分解物からオリゴ糖を回収する工程と、
を有し、
前記加水分解剤は、塩化鉄（ＩＩＩ）または硫酸鉄（ＩＩＩ）であることを特徴とするオリゴ糖の製造方法。
【請求項３】
グルコマンナンを加水分解してオリゴ糖を製造するオリゴ糖の製造方法であって、
グルコマンナンに加水分解剤の水溶液を供給する工程と、
前記グルコマンナンを１３０〜１４０℃で加水分解する工程と、
前記グルコマンナンの加水分解物からオリゴ糖を回収する工程と、
を有し、
前記加水分解剤は、塩化鉄（ＩＩＩ）または硫酸鉄（ＩＩＩ）であることを特徴とするオリゴ糖の製造方法。
【発明の詳細な説明】
【技術分野】
【０００１】
本発明は、中性多糖類を加水分解してオリゴ糖を製造するオリゴ糖の製造方法に関する。
【背景技術】
【０００２】
オリゴ糖は、甘味性、保湿性、ビフィズス菌増殖性などの種々の生理活性を有するため、機能性食品素材として注目されており、現在、フラクトオリゴ糖、ガラクトオリゴ糖、マルトオリゴ糖、イソマルトオリゴ糖、キシロオリゴ糖、大豆オリゴ糖などが実用に供されている。
また、オリゴ糖は、坑腫瘍作用、免疫活性化、コレステロール低減、美白効果などの種々の生理活性を有することから、特定保険用食品、化粧品、医薬品などの素材としても注目されている。
【０００３】
これらのオリゴ糖は、主として原料である多糖類に酵素、酸または加圧熱水、二酸化炭素を作用させる加水分解によって製造されている。
多糖類の酵素分解法としては、例えば、市販の酵素を用いたグルコマンナンの加水分解法が知られている（例えば、特許文献１参照）。
また、酸を用いた多糖類の加水分解法としては、例えば、原料のコーヒー滓を、１６０〜２６０℃の温度にて、ｐＨ０．５〜４で加熱した後、中和することにより、重合度１〜１０のマンナンオリゴ糖を製造する方法が知られている（例えば、特許文献２参照）。
また、加圧熱水法でマンナンオリゴ糖を製造する場合、２００℃以上の反応温度を必要とするので、生成したオリゴ糖の過分解反応が進行し、メイラード反応などによる着色や有害物質が生成し、精製工程が複雑になるという問題があった。
【０００４】
多糖類は、酸性多糖類、塩基性多糖類、中性多糖類に大分類され、「酸性多糖類」とは、カルボキシル基、硫酸基、リン酸基などの酸性基を有する多糖類であり、「塩基性多糖類」とは、アミノ基などの塩基性基を有する多糖類であり、「中性多糖類」とは、酸性基や塩基性基を全く、あるいはほとんど有さない多糖類である。
塩基性多糖類は、天然物としてはキチンやキトサンなどの他にはあまり例がなく、天然物として入手可能な多糖類は、酸性多糖類または中性多糖類がほとんどである。
中性多糖類を加水分解して得られるオリゴ糖は、酸性多糖類由来のオリゴ糖とは異なる生理活性や機能性が期待される。
【０００５】
また、中性多糖類は、酸性多糖類と比べて、加水分解を行いにくい傾向がある。そのため、中性多糖類を加水分解するために、例えば、中性多糖類に無機酸添加の代わりに酸性糖を添加して水熱反応させ、前記中性多糖類を加水分解することを特徴とする単糖もしくはオリゴ糖の製造方法が知られている（例えば、特許文献３参照）。
【先行技術文献】
【特許文献】
【０００６】
【特許文献１】特開平５−２４６８６０号公報
【特許文献２】特開昭６１−９６９４７号公報
【特許文献３】特開２００９−０１１３１７号公報
【発明の概要】
【発明が解決しようとする課題】
【０００７】
しかしながら、酵素分解法では、特定の糖を対象とするため、糖ごとに特定の酵素が必要であるため、汎用性に乏しいという問題があった。また、酸を用いた加水分解法は、加水分解後の中和工程や、脱塩工程が必要であり、製造コストが高くなることや、高い反応温度で過分解反応が進行し、副生成物が生じるという問題があった。また、中性多糖類と酸性糖類を添加して水熱反応をさせるオリゴ糖の製造方法では、得られるオリゴ糖が前記中性多糖類と前記酸性多糖類それぞれの加水分解物の混合物であり、中性多糖類由来のオリゴ糖の純度が高いオリゴ糖を得ることが困難であった。
【０００８】
本発明は、上記事情に鑑みてなされたものであって、高純度の中性多糖類由来のオリゴ糖を効率的に製造することができ、かつ汎用性が高く、低コストなオリゴ糖の製造方法を提供することを目的とする。また、本発明は、オリゴ糖の分子量制御および再現性に優れ、所望のオリゴ糖を高純度で得られる中性多糖類由来のオリゴ糖の製造方法を提供することを目的とする。
【課題を解決するための手段】
【０００９】
本発明のオリゴ糖の製造方法は、アガロースを加水分解してオリゴ糖を製造するオリゴ糖の製造方法であって、アガロースに加水分解剤の水溶液を供給する工程と、前記アガロースを１１０〜１３０℃で加水分解する工程と、前記アガロースの加水分解物からオリゴ糖を回収する工程と、を有し、前記加水分解剤は、塩化鉄（ＩＩＩ）または硫酸鉄（ＩＩＩ）であることを特徴とする。
【００１０】
本発明のオリゴ糖の製造方法は、キシランを加水分解してオリゴ糖を製造するオリゴ糖の製造方法であって、キシランに加水分解剤の水溶液を供給する工程と、前記キシランを１４０〜１６０℃で加水分解する工程と、前記キシランの加水分解物からオリゴ糖を回収する工程と、を有し、前記加水分解剤は、塩化鉄（ＩＩＩ）または硫酸鉄（ＩＩＩ）であることを特徴とする。
【００１１】
本発明のオリゴ糖の製造方法は、グルコマンナンを加水分解してオリゴ糖を製造するオリゴ糖の製造方法であって、グルコマンナンに加水分解剤の水溶液を供給する工程と、前記グルコマンナンを１３０〜１４０℃で加水分解する工程と、前記グルコマンナンの加水分解物からオリゴ糖を回収する工程と、を有し、前記加水分解剤は、塩化鉄（ＩＩＩ）または硫酸鉄（ＩＩＩ）であることを特徴とする。
１００℃を超える温度範囲で加水分解反応を行なう場合、温度調整が難しくなることから、市販のハイパーグラスター（株式会社耐圧ガラス工業製）を使用するとよい。この装置は、耐圧構造に設計され、内部設定温度がコントロール可能となっているので便利である。
【発明の効果】
【００１２】
本発明によれば、中性多糖類を原料とし、高純度のオリゴ糖を効率的に製造することができ、かつ汎用性が高く、低コストなオリゴ糖の製造が可能である。また、オリゴ糖の分子量制御が容易となり、所望の高純度な中性多糖類由来のオリゴ糖を再現性よく製造することができる。
【図面の簡単な説明】
【００１３】
【図１】実験例１〜４における凍結乾燥後のアガロオリゴ糖のＨＰＬＣによる分析結果を示す図である。
【図２】実験例２、５および６における凍結乾燥後のアガロオリゴ糖のＨＰＬＣによる分析結果を示す図である。
【図３】実験例７〜１０における凍結乾燥後のキシロオリゴ糖のＨＰＬＣによる分析結果を示す図である。
【図４】実験例１１〜１３における凍結乾燥後のキシロオリゴ糖のＨＰＬＣによる分析結果を示す図である。
【図５】実験例１４〜１７における凍結乾燥後のキシロオリゴ糖のＨＰＬＣによる分析結果を示す図である。
【図６】実験例１８〜２１における凍結乾燥後のマンナンオリゴ糖のＨＰＬＣによる分析結果を示す図である。
【図７】実験例１９、２０、２２および２３における凍結乾燥後のマンナンオリゴ糖のＨＰＬＣによる分析結果を示す図である。
【図８】実験例２１、２４〜２６における凍結乾燥後のマンナンオリゴ糖のＨＰＬＣによる分析結果を示す図である。
【発明を実施するための形態】
【００１４】
本発明のオリゴ糖の製造方法の実施の形態について説明する。
なお、本実施の形態は、発明の趣旨をよりよく理解させるために具体的に説明するものであり、特に指定のない限り、本発明を限定するものではない。
【００１５】
（１）第一実施形態
本実施形態のオリゴ糖の製造方法は、中性多糖類のアガロースを加水分解してオリゴ糖を製造するオリゴ糖の製造方法であって、アガロースに加水分解剤の水溶液を供給する工程と、アガロースを加水分解する工程と、アガロースの加水分解物からオリゴ糖を回収する工程と、を有する方法である。
【００１６】
アガロースは、テングサやオゴノリなどの紅藻類中に存在する多糖類であり、Ｄ−ガラクトースと３，６−アンヒドロ−Ｌ−ガラクトースとが交互にα−１，３結合、β−１，４結合を繰り返して構成される多糖類である。アガロースは、下記の化学式（１）で表される。
【００１７】
【化１】
0005946032.tif 000002
【００１８】
このアガロースを加水分解して、低分子量化することにより、アガロビオースを構成成分とするアガロオリゴ糖を生成することができる。
アガロオリゴ糖は、アガロースのα−１，３結合を切断して得られるオリゴ糖であり、その重合度は偶数である。また、アガロオリゴ糖の還元末端は、３，６−アンヒドロ−Ｌ−ガラクトースである。アガロオリゴ糖は、下記の化学式（２）で表される。
【００１９】
【化２】
0005946032.tif 000003
【００２０】
従来、アガロースの加水分解によるオリゴ糖の製造には、酸加水分解法と酵素加水分解法が用いられてきた。
酸加水分解法では、主としてアガロースのα−１，３結合が切断されるため、アガロオリゴ糖が生成される。
酸加水分解法で用いられる酸としては、塩酸、硫酸などの無機酸、クエン酸、乳酸などの有機酸が挙げられる。
酸加水分解法の問題点としては、生成されるオリゴ糖の大きさ（分子量）を制御することが難しく、特に、重合度の低い低分子オリゴ糖を選択的に生成することが極めて難しいことなどが挙げられる。
【００２１】
酵素加水分解法では、アガロースを分解する酵素として、α−１，３結合を切断するα−アガラーゼと、β−１，４結合を切断するβ−アガラーゼとが挙げられる。
α−アガラーゼを用いることにより、α−１，３結合が切断されるため、アガロビオースを構成成分とするアガロオリゴ糖が生成される。
公知のα−アガラーゼとしては、海洋性のグラム陰性細菌ＧＪ１Ｂ株やビブリオ属細菌の生産する酵素が挙げられる。
しかしながら、アルテロモナス・アガリリティクスＧＪ１Ｂ株由来のα−アガラーゼは、六糖以下のオリゴ糖を分解することができないため、生理活性が顕著なアガロビオースを生成することは不可能である。さらに、ビブリオ属細菌由来のα−アガラーゼは、六糖以下のオリゴ糖にのみ活性を示す酵素であり、アガロースに対してはまったく作用しないため、アガロースを原料とするアガロオリゴ糖の製造に使用することはできない。
【００２２】
本実施形態のオリゴ糖の製造方法は、上述の従来の課題を解決するためになされたものである。
本実施形態のオリゴ糖の製造方法を詳細に説明する。
【００２３】
本実施形態のオリゴ糖の製造方法は、例えば、反応容器内に収容したアガロースに、アガロースを加水分解するための加水分解剤の水溶液を供給し、アガロースを加水分解する。
【００２４】
原料となるアガロース源は、特に限定されるものではないが、例えば、海藻である紅藻類の天草（テングサ）を熱水中で処理して得られる高粘度の液体を、凍結乾燥することで得ることができる。
【００２５】
アガロースは、本発明において用いる加水分解剤と配位して可溶化する性質を有していることから、前処理することなく加水分解するようにしてもよいが、加水分解の効率をよりよく高めるためには、前記凍結乾燥物を微粉化しておくとよい。
【００２６】
アガロース源は、１種を単独で用いてもよいし、２種以上を併用してもよい。２種以上を併用する場合、その組み合わせは任意に選択できる。
【００２７】
前記加水分解剤としては、塩化鉄（ＩＩＩ）（ＦｅＣｌ３）または硫酸鉄（ＩＩＩ）（Ｆｅ２（ＳＯ４）３）が好適に用いられる。
塩化鉄（ＩＩＩ）は、無水物および六水和物のいずれでもよく、鉄粉および塩酸を用いて調製したものでもよい。
硫酸鉄（ＩＩＩ）は、無水物または七水和物のいずれでもよく、鉄粉および濃硫酸を用いて調製したものでもよい。
加水分解剤は、塩化鉄（ＩＩＩ）または硫酸鉄（ＩＩＩ）を単独で用いてもよいし、塩化鉄（ＩＩＩ）と硫酸鉄（ＩＩＩ）を併用してもよい。塩化鉄（ＩＩＩ）と硫酸鉄（ＩＩＩ）を併用する場合、その組み合わせおよび比率は、任意に選択できる。
【００２８】
加水分解剤の水溶液に含まれる加水分解剤の濃度は、適宜調節されるが、１〜１００ｍＭであることが好ましく、１〜５０ｍＭであることがより好ましく、１〜２０ｍＭであることが特に好ましい。
加水分解剤の濃度を下限値以上とすることにより、一層速やかにアガロースを加水分解できる。一方、加水分解剤の濃度を上限値以下とすることにより、オリゴ糖の生成が一層容易となる。なお、本明細書において、単位「Ｍ」は「ｍｏｌ／Ｌ」を表す。
【００２９】
アガロースの加水分解は、加熱しながら行うことが好ましく、このようにすることで、一層速やかにアガロースを加水分解できる。
加熱時の温度は、８０℃以上であることが好ましく、９０〜１６０℃であることがより好ましく、１００〜１４０℃であることがさらに好ましく、１１０〜１２０℃であることが特に好ましい。
加熱時の温度を上限値以下とすることで、アガロースの過分解を一層抑制できる。
【００３０】
加水分解の反応時間は、反応温度に応じて適宜調節されるものであり、特に限定されるものではない。
例えば、上記のように加熱する場合、反応時間は０．２〜１０時間であることが好ましく、１〜２時間であることがより好ましい。
【００３１】
加水分解剤の水溶液の量は、水溶液の濃度、アガロースの量、オリゴ糖の製造装置の形態に応じて、適宜調節される。
【００３２】
加水分解剤の水溶液は、本実施形態の効果を妨げない範囲内で、加水分解剤以外のその他の成分を含有していてもよい。
【００３３】
アガロースの加水分解を終了した後、その加水分解物からオリゴ糖を回収する。
加水分解物は、目的物であるアガロオリゴ糖以外にその他の分解物や、塩化鉄（ＩＩＩ）、硫酸鉄（ＩＩＩ）などを含んでいる。そこで、加水分解物は、抽出、濃縮、活性炭処理、脱塩処理、ゲル濾過、カラムクロマトグラフィーなどの公知の精製操作を一種以上行い、さらに、濃縮や凍結乾燥などを行うことにより、アガロオリゴ糖を取り出すことが好ましい。
【００３４】
得られたアガロオリゴ糖は、例えば、高速液体クロマトグラフィー（ＨＰＬＣ）、核磁気共鳴（１Ｈ−ＮＭＲ、１３Ｃ−ＮＭＲなど）、質量分析法（ＭＳ）など、公知の手法を単独でまたは二種以上組み合わせて適用することで同定できる。
【００３５】
また、上記実施形態において、オリゴ糖の加水分解反応は、回分式または流通式のいずれで行ってもよい。流通式で加水分解反応を行う場合には、所定の反応温度で所望のオリゴ糖が得られるよう、適宜加水分解剤の流量を調整すればよい。
【００３６】
また、上記実施形態において、流通式で加水分解反応を行う場合、アガロースを、加水分解反応の途中で新たに追加してもよい。このようにすることで、加水分解反応を停止させることなく、長時間連続して行い、オリゴ糖の製造を継続して行うことができ、オリゴ糖の製造効率を大幅に向上させることができる。アガロースを追加する具体的な方法としては、例えば、従来のショーラー法における、パーコレーター型反応器を使用する方法が挙げられるが、これらに限定されるものではない。
【００３７】
本実施形態によれば、アガロースを十分にアガロオリゴ糖にまで加水分解できるので、アガロオリゴ糖の生成量が向上するとともに、アガロースの過分解が抑制され、高収率でアガロオリゴ糖やネオアガロオリゴ糖が得られる。また、オリゴ糖の分子量制御が容易となり、再現性よく所望のオリゴ糖を製造することができる。
また、アガロースを高い効率で加水分解する加水分解剤として、塩化鉄（ＩＩＩ）または硫酸鉄（ＩＩＩ）を用いることによって、一層高収率でアガロオリゴ糖が得られる。そして、反応時間、反応温度、加水分解剤の水溶液の量などを調節することにより、アガロオリゴ糖の収率を一層向上させることができる。
本発明に使用する原料はすべて安全面および入手性に優れており、反応条件が穏やかで、特殊な製造条件が不要であるなど、工程が簡便で低コストでアガロオリゴ糖を製造できる。
このように本実施形態は、汎用性が高く、工業レベルでの実用化が容易である。
【００３８】
（２）第二実施形態
本実施形態のオリゴ糖の製造方法は、中性多糖類のキシラン（ヘミセルロース）を加水分解してオリゴ糖を製造するオリゴ糖の製造方法であって、キシランに加水分解剤の水溶液を供給する工程と、キシランを加水分解する工程と、キシランの加水分解物からオリゴ糖を回収する工程と、を有する方法である。
【００３９】
キシランは、Ｄ−キシロース残基をβ−１，４結合にて直鎖状に結合させた直鎖状重合体である。キシランは、下記の化学式（３）で表される。
天然のヘミセルロースには、キシランの他にも、キシランからなる直鎖状の主鎖に、Ｌ−アラビノフラノース残基、Ｄ−グルクロン酸残基、４−ｏ−メチル−Ｄ−グルクロン酸残基などの側鎖を結合させた、アラビノキシラン、グルクロノキシラン、アラビノグルクロノキシラン、メチルグルクロノキシランなどのキシラン誘導体が存在する。
【００４０】
【化３】
0005946032.tif 000004
【００４１】
このキシランを加水分解して、低分子量化することにより、キシロオリゴ糖を生成することができる。キシロオリゴ糖は、下記の化学式（４）で表される。
【００４２】
【化４】
0005946032.tif 000005
【００４３】
従来、木質系バイオマス資源は主に、食糧、燃料、繊維、建築材料などに利用されているが、その量は地球上のバイオマスの年間生産量のうちの僅かな量に過ぎない。バイオマス資源として木材を利用する場合、細胞壁の利用が多い。木材の細胞壁には、セルロースが４５％程度、ヘミセルロースが３０％程度、リグニンが２５％程度含まれている。これらのうち、セルロースに次ぐ主要成分であるヘミセルロース（キシラン）に関しては、キシリトールなどや、一部のキシロオリゴ糖が食品素材として利用されている以外は、工業的な利用がほとんどなされていない。
木材に含まれるヘミセルロースの主な成分としては、キシランおよびその誘導体からなる多糖が挙げられる。
キシロオリゴ糖は、木材成分のキシランから得ることが可能である。現在、日本では年間５０００万トンもの大量の木質廃材が排出されているため、環境問題や廃棄物問題の解決に向けて、このような廃材の工業的な有効利用に大きな期待がかけられている。
【００４４】
本実施形態のオリゴ糖の製造方法は、上述の従来の課題を解決するためになされたものである。
本実施形態のオリゴ糖の製造方法を詳細に説明する。
【００４５】
本実施形態のオリゴ糖の製造方法は、例えば、反応容器内に収容したキシランに、キシランを加水分解するための加水分解剤の水溶液を供給し、キシランを加水分解する。
【００４６】
原料となるキシラン源は、特に限定されるものではないが、例えば、白樺、トウモロコシ、椰子ガラおよび樫などが挙げられる。
【００４７】
バイオマスから得られるキシラン源は、前処理が施されていていることが望ましく、前記前処理としては、アルコールなどの有機溶媒と酸触媒を併用した脱リグニン処理などが挙げられる。
【００４８】
キシランは、１種を単独で用いてもよいし、２種以上を併用してもよい。２種以上を併用する場合、その組み合わせは任意に選択できる。
【００４９】
加水分解剤としては、上述の第一実施形態と同様に、塩化鉄（ＩＩＩ）または硫酸鉄（ＩＩＩ）が好適に用いられる。
【００５０】
加水分解剤の水溶液に含まれる加水分解剤の濃度は、適宜調節されるが、１〜１００ｍＭであることが好ましく、１〜５０ｍＭであることがより好ましく、１〜２０ｍＭであることが特に好ましい。
加水分解剤の濃度を下限値以上とすることにより、一層速やかにキシランを加水分解できる。一方、加水分解剤の濃度を上限値以下とすることにより、オリゴ糖の生成が一層容易となる。
【００５１】
キシランの加水分解は、加熱しながら行うことが好ましく、このようにすることで、一層速やかにキシランを加水分解できる。
加熱時の温度は、１１０℃以上であることが好ましく、１２０〜１６０℃であることがより好ましく、１３０〜１４０℃であることがさらに好ましい。
加熱時の温度を上限値以下とすることで、キシランの過分解を一層抑制できる。
【００５２】
加水分解の反応時間は、反応温度に応じて適宜調節されるものであり、特に限定されるものではない。
例えば、上記のように加熱する場合、反応時間は０．２〜１０時間であることが好ましく、２〜４時間であることがより好ましい。
【００５３】
加水分解剤の水溶液の量は、水溶液の濃度、キシランの量、オリゴ糖の製造装置の形態に応じて、適宜調節される。
【００５４】
キシランの加水分解を終了した後、その加水分解物からオリゴ糖を回収する。
加水分解物は、目的物であるキシロオリゴ糖以外にその他の分解物や、塩化鉄（ＩＩＩ）、硫酸鉄（ＩＩＩ）などを含んでいる。そこで、加水分解物は、抽出、濃縮、活性炭処理、脱塩処理、ゲル濾過、カラムクロマトグラフィーなどの公知の精製操作を一種以上行い、さらに、濃縮や凍結乾燥などを行うことにより、キシロオリゴ糖を取り出すことが好ましい。
【００５５】
得られたキシロオリゴ糖は、例えば、上述の第一実施形態と同様の方法で同定できる。
【００５６】
また、上記実施形態において、オリゴ糖の加水分解反応は、回分式または流通式のいずれで行ってもよい。流通式で加水分解反応を行う場合は、所定の反応温度で所望のオリゴ糖が得られるよう、適宜加水分解剤の流量を調整すればよい。
【００５７】
また、上記実施形態において、流通式で加水分解反応を行う場合、キシランを、加水分解反応の途中で新たに追加してもよい。このようにすることで、加水分解反応を停止させることなく、長時間連続して行い、オリゴ糖の製造を継続して行うことができ、オリゴ糖の製造効率を大幅に向上させることができる。キシランを追加する具体的な方法としては、例えば、従来のショーラー法における、パーコレーター型反応器を使用する方法が挙げられるが、これらに限定されるものではない。
【００５８】
本実施形態によれば、キシランを十分にキシロオリゴ糖にまで加水分解できるので、キシロオリゴ糖の生成量が向上するとともに、キシランの過分解が抑制され、高収率でキシロオリゴ糖が得られる。また、キシロオリゴ糖の分子量制御が容易となり、再現性よく所望のキシロオリゴ糖を製造することができる。
また、キシランを高い効率で加水分解する加水分解剤として、塩化鉄（ＩＩＩ）または硫酸鉄（ＩＩＩ）を用いることによって、一層高収率でキシロオリゴ糖が得られる。そして、反応時間、反応温度、加水分解剤の水溶液の量などを調節することにより、キシロオリゴ糖の収率を一層向上させることができる。
本発明に使用する原料はすべて安全面および入手性に優れており、反応条件が穏やかで、特殊な製造条件が不要であるなど、工程が簡便で低コストでキシロオリゴ糖を製造できる。
このように本実施形態は、汎用性が高く、工業レベルでの実用化が容易である。
【００５９】
（３）第三実施形態
本実施形態のオリゴ糖の製造方法は、中性多糖類のグルコマンナンを加水分解してオリゴ糖を製造するオリゴ糖の製造方法であって、グルコマンナンに加水分解剤の水溶液を供給する工程と、グルコマンナンを加水分解する工程と、グルコマンナンの加水分解物からオリゴ糖を回収する工程と、を有する方法である。
【００６０】
マンナンは、マンノースを主な構成成分とする多糖類の総称である。マンナンは、広義には、マンノース以外の単糖を含むガラクトマンナンまたはグルコマンナンをも含む。
グルコマンナンは、植物分類上、サトイモ科に属するＡｍｏｒｐｈｏｐｈａｌｌｕｓ Ｋｏｎｊａｃ， Ｋ Ｋｏｃｈの塊茎（芋）に含まれるグルコマンナン（貯蔵性多糖類）から分離して得られる多糖類である。そして、グルコマンナンは、Ｄ−グルコース（Ｇ）とＤ−マンノース（Ｍ）がほぼ１：１．６の割合で、β−１，４結合した複合多糖類である。一般に、グルコマンナンの分子量は、約１００万以上（重合度：約６２００）で、分子の長さはＲＧ＝１３００Å程度である。グルコマンナンは、下記の化学式（５）で表される。
【００６１】
【化５】
0005946032.tif 000006
【００６２】
このグルコマンナンを加水分解して、低分子量化することにより、マンナンオリゴ糖を生成することができる。グルコマンナンの、どの結合が加水分解されるかによって、得られるマンナンオリゴ糖は異なるが、マンナンオリゴ糖の一例は、下記の化学式（６）で表される。
【００６３】
【化６】
0005946032.tif 000007
【００６４】
従来、マンナンオリゴ糖を製造する代表的な方法として、酸加水分解法または酵素加水分解法が用いられている。これらの方法は、グルコマンナンなどを出発原料として、酸加水分解法または酵素加水分解法により、部分加水分解（低分子化）を行うものである。
酸加水分解法としては、例えば、原料であるコーヒー抽出残渣材料を、温度１６０〜２６０℃の温度にて、ｐＨ０．５〜４で加熱して、中和することにより、重合度１〜１０のマンナンオリゴ糖を製造する方法が挙げられる。
【００６５】
しかしながら、この方法では、グルコマンナンの加水分解が激しく行われるため、反応系の設備が複雑になるばかりでなく、設備内では酸による腐食も起きやすく、酸回収にも余分なコストが発生する。
また、多糖類の側鎖が主鎖よりも早く分解されてしまうため、主鎖の分解度を調整するためには、酵素加水分解法が好適に用いられている。この酵素加水分解法に用いられる酵素としては、グルコマンナンを加水分解する機能を有する市販の酵素が挙げられる。酵素加水分解法は、温和な条件で加水分解を行うことができ、環境汚染も少ないが、コストがかかるため、工業化には不向きである。
そこで、後処理を必要としない方法としては、炭酸ガスを添加する方法や、熱水処理する方法が挙げられる。前記熱水処理の方法としては、例えば、コーヒー抽出残渣材料を１６０〜２６０℃で熱水処理する方法が挙げられる。しかしながら、この方法では、得られるマンナンオリゴ糖の収率が１４％と低い。
【００６６】
本実施形態のオリゴ糖の製造方法は、上述の従来の課題を解決するためになされたものである。
本実施形態のオリゴ糖の製造方法を詳細に説明する。
【００６７】
本実施形態のオリゴ糖の製造方法は、例えば、反応容器内に収容したグルコマンナンに、グルコマンナンを加水分解するための加水分解剤の水溶液を供給し、グルコマンナンを加水分解する。
【００６８】
原料となるグルコマンナン源は、特に限定されるものではないが、例えば、こんにゃく由来のコンニャクマンナン、コーヒー飲料製造後のコーヒー滓などが挙げられる。
【００６９】
グルコマンナン源は、適宜、前処理が施されていてもよい。グルコマンナンの前処理としては、いわゆる飛び粉と呼ばれる外皮の除去や、えぐみ成分であるシュウ酸カルシウムの除去などが挙げられる。
【００７０】
グルコマンナン源は、１種を単独で用いてもよいし、２種以上を併用してもよい。２種以上を併用する場合、その組み合わせは任意に選択できる。
【００７１】
加水分解剤としては、上述の第一実施形態と同様に、塩化鉄（ＩＩＩ）または硫酸鉄（ＩＩＩ）が好適に用いられる。
【００７２】
加水分解剤の水溶液に含まれる加水分解剤の濃度は、適宜調節されるが、１〜１００ｍＭであることが好ましく、１〜５０ｍＭであることがより好ましく、１〜２０ｍＭであることが特に好ましい。
加水分解剤の濃度を下限値以上とすることにより、一層速やかにグルコマンナンを加水分解できる。一方、加水分解剤の濃度を上限値以下とすることにより、オリゴ糖の生成が一層容易となる。
【００７３】
グルコマンナンの加水分解は、加熱しながら行うことが好ましく、このようにすることで、一層速やかにグルコマンナンを加水分解できる。
加熱時の温度は、１２０℃以上であることが好ましく、１３０〜１６０℃であることがより好ましく、１３０〜１４０℃であることがさらに好ましい。
加熱時の温度を上限値以下とすることで、グルコマンナンの過分解を一層抑制できる。
【００７４】
加水分解の反応時間は、反応温度に応じて適宜調節されるものであり、特に限定されるものではない。
例えば、上記のように加熱する場合、反応時間は０．２〜１０時間であることが好ましく、１０分〜２時間であることがより好ましい。
【００７５】
加水分解剤の水溶液の量は、水溶液の濃度、グルコマンナンの量、オリゴ糖の製造装置の形態に応じて、適宜調節される。
【００７６】
グルコマンナンの加水分解を終了した後、その加水分解物からオリゴ糖を回収する。
加水分解物は、目的物であるマンナンオリゴ糖以外にその他の分解物や、塩化鉄（ＩＩＩ）、硫酸鉄（ＩＩＩ）などを含んでいる。そこで、加水分解物は、抽出、濃縮、活性炭処理、脱塩処理、ゲル濾過、カラムクロマトグラフィーなどの公知の精製操作を一種以上行い、さらに、濃縮や凍結乾燥などを行うことにより、マンナンオリゴ糖を取り出すことが好ましい。
【００７７】
得られたマンナンオリゴ糖は、例えば、上述の第一実施形態と同様の方法で同定できる。
【００７８】
また、上記実施形態において、オリゴ糖の加水分解反応は、回分式または流通式のいずれで行ってもよい。流通式で加水分解反応を行う場合は、所定の反応温度で所望のオリゴ糖が得られるよう、適宜加水分解剤の流量を調整すればよい。
【００７９】
また、上記実施形態において、流通式で加水分解反応を行う場合、グルコマンナンを、加水分解反応の途中で新たに追加してもよい。このようにすることで、加水分解反応を停止させることなく、長時間連続して行い、オリゴ糖の製造を継続して行うことができ、オリゴ糖の製造効率を大幅に向上させることができる。グルコマンナンを追加する具体的な方法としては、例えば、従来のショーラー法における、パーコレーター型反応器を使用する方法が挙げられるが、これらに限定されるものではない。
【００８０】
本実施形態によれば、グルコマンナンを十分にマンナンオリゴ糖にまで加水分解できるので、マンナンオリゴ糖の生成量が向上するとともに、グルコマンナンの過分解が抑制され、高収率でマンナンオリゴ糖が得られる。また、マンナンオリゴ糖の分子量制御が容易となり、再現性よく所望のマンナンオリゴ糖を製造することができる。
また、グルコマンナンを高い効率で加水分解する加水分解剤として、塩化鉄（ＩＩＩ）または硫酸鉄（ＩＩＩ）を用いることによって、一層高収率でマンナンオリゴ糖が得られる。そして、反応時間、反応温度、加水分解剤の水溶液の量などを調節することにより、マンナンオリゴ糖の収率を一層向上させることができる。
本発明に使用する原料はすべて安全面および入手性に優れており、反応条件が穏やかで、特殊な製造条件が不要であるなど、工程が簡便で低コストでマンナンオリゴ糖を製造できる。
このように本実施形態は、汎用性が高く、工業レベルでの実用化が容易である。
【実施例】
【００８１】
以下、実験例により本発明をさらに具体的に説明するが、本発明は以下の実験例に限定されるものではない。
なお、以下に示す「オリゴ糖収率（％）」は、全て単離収率である。
【００８２】
［実験例１］
１０ｇのアガロース（関東化学社製、粉末寒天）を、ハイパーグラスター（耐圧ガラス工業社製、ＴＥＭ−Ｖ−１０００Ｎ型）の容量が１Ｌの反応容器に入れ、次いで、濃度が１．０ｍＭの塩化鉄（ＩＩＩ）水溶液７００ｍＬを前記反応容器に加えて密閉した。
次いで、ハイパーグラスターの設定内部温度（反応温度）を１００℃とし、当該温度まで昇温安定化してから１時間（反応時間）、アガロースの加水分解反応を行った。
反応後、加水分解物を遠心分離により可溶分と不溶分に分け、可溶分についてはイオン交換樹脂を用いて脱塩処理を行った。
このとき、加水分解物の可溶分については、電気伝導度が５．００［μｓ／ｃｍ］〜３．００［μｓ／ｃｍ］に下がるまで脱塩処理を行い、脱塩後は、糖の全量が溶出するまで洗浄を行った。
可溶分を一定程度まで濃縮した後、凍結乾燥して、可溶分（アガロオリゴ糖）を４．９ｇ（収率４９％）得た。
【００８３】
得られたアガロオリゴ糖は、ＨＰＬＣ分析により同定した。分析条件は以下の通りである。また、得られた分析結果（ＨＰＬＣチャート）を図１に示す。
（ＨＰＬＣ分析条件）
カラム：Ｓｈｏｄｅｘ  ＳＢ−Ｇ  ＋  ＳＢ−８０２ＨＱ  ＋  ＳＢ−８０２．５ＨＱ
流速：０．７０ｍＬ／分
温度：７０℃
移動相：０．１Ｍ  ＮａＮＯ３水溶液
【００８４】
［実験例２］
反応温度を１１０℃に設定したこと以外は実験例１と同様にして、アガロースの加水分解、並びに、アガロオリゴ糖の分離および精製を行った。
その結果、アガロオリゴ糖を６．７ｇ（収率６７％）得た。
また、得られたアガロオリゴ糖の分析結果（ＨＰＬＣチャート）を図１および図２に示す。
【００８５】
［実験例３］
反応温度を１２０℃に設定したこと以外は実験例１と同様にして、アガロースの加水分解、並びに、アガロオリゴ糖の分離および精製を行った。
その結果、アガロオリゴ糖を６．９ｇ（収率６９％）得た。
また、得られたアガロオリゴ糖の分析結果（ＨＰＬＣチャート）を図１に示す。
【００８６】
［実験例４］
反応温度を１３０℃に設定したこと以外は実験例１と同様にして、アガロースの加水分解、並びに、アガロオリゴ糖の分離および精製を行った。
その結果、アガロオリゴ糖を７．５ｇ（収率７５％）得た。
また、得られたアガロオリゴ糖の分析結果（ＨＰＬＣチャート）を図１に示す。
【００８７】
［実験例５］
反応温度を１１０℃、反応時間を２時間に設定したこと以外は実験例１と同様にして、アガロースの加水分解、並びに、アガロオリゴ糖の分離および精製を行った。
その結果、アガロオリゴ糖を７．３ｇ（収率７３％）得た。
また、得られたアガロオリゴ糖の分析結果（ＨＰＬＣチャート）を図２に示す。
【００８８】
［実験例６］
反応温度を１１０℃、反応時間を３時間に設定したこと以外は実験例１と同様にして、アガロースの加水分解、並びに、アガロオリゴ糖の分離および精製を行った。
その結果、アガロオリゴ糖を６．８ｇ（収率６８％）得た。
また、得られたアガロオリゴ糖の分析結果（ＨＰＬＣチャート）を図２に示す。
【００８９】
図１より、反応温度を１００〜１１０℃、反応時間を１時間とした場合（実験例１、２）、オリゴ糖のピークが僅かに確認された。一方、反応温度を１２０〜１３０℃、反応時間を１時間とした場合（実験例３、４）、加水分解が進行し、オリゴ糖のピークが明確に確認された。また、図２より、反応温度が１１０℃の場合でも、反応時間を２〜３時間とすることにより（実験例５、６）、加水分解が進行し、オリゴ糖のピークが明確に確認された。
以上の結果から、反応温度を１２０〜１３０℃に設定し、反応時間を１時間とすることによって、所望の高純度なアガロオリゴ糖が得られることが確認できた。また、反応温度を１１０℃に設定した場合は、反応時間を２〜３時間に設定することによって、所望の高純度なアガロオリゴ糖が得られることが確認できた。
【００９０】
［実験例７］
５．０ｇのキシラン（シグマ社製、ブナ由来）を、ハイパーグラスター（耐圧ガラス工業社製、ＴＥＭ−Ｖ−１０００Ｎ型）の容量が１Ｌの反応容器に入れ、次いで、濃度が１．０ｍＭの硫酸鉄（ＩＩＩ）水溶液３００ｍＬを前記反応容器に加えて密閉した。
次いで、ハイパーグラスターの設定内部温度（反応温度）を１４０℃とし、当該温度まで昇温安定化してから２時間（反応時間）、キシランの加水分解反応を行った。
反応後、加水分解物を遠心分離により可溶分と不溶分に分け、可溶分についてはイオン交換樹脂を用いて脱塩処理を行った。
このとき、加水分解物の可溶分については、電気伝導度が５．００［μｓ／ｃｍ］〜３．００［μｓ／ｃｍ］に下がるまで脱塩処理を行い、脱塩後は、糖の全量が溶出するまで洗浄を行った。
可溶分を一定程度まで濃縮した後、凍結乾燥して、可溶分(キシロオリゴ糖)を３．１ｇ（収率６２％）得た。
【００９１】
得られたキシロオリゴ糖は、ＨＰＬＣ分析により同定した。分析条件を、実験例１と同様とした。また、得られた分析結果（ＨＰＬＣチャート）を図３に示す。
【００９２】
［実験例８］
加水分解剤の水溶液として、濃度が１．０ｍＭの塩化鉄（ＩＩＩ）水溶液を用いたこと以外は実験例７と同様にして、キシランの加水分解、並びに、キシロオリゴ糖の分離および精製を行った。
その結果、キシロオリゴ糖を３．４ｇ（収率６８％）得た。
また、得られたキシロオリゴ糖の分析結果（ＨＰＬＣチャート）を図３に示す。
【００９３】
［実験例９］
反応温度を１６０℃に設定したこと以外は実験例７と同様にして、キシランの加水分解、並びに、キシロオリゴ糖の分離および精製を行った。
その結果、キシロオリゴ糖を２．９５ｇ（収率５９％）得た。
また、得られたキシロオリゴ糖の分析結果（ＨＰＬＣチャート）を図３に示す。
【００９４】
［実験例１０］
加水分解剤の水溶液として、濃度が１．０ｍＭの塩化鉄（ＩＩＩ）水溶液を用い、反応温度を１６０℃に設定したこと以外は実験例７と同様にして、キシランの加水分解、並びに、キシロオリゴ糖の分離および精製を行った。
その結果、キシロオリゴ糖を３．１５ｇ（収率６３％）得た。
また、得られたキシロオリゴ糖の分析結果（ＨＰＬＣチャート）を図３に示す。
【００９５】
［実験例１１］
反応時間を３時間に設定したこと以外は実験例７と同様にして、キシランの加水分解、並びに、キシロオリゴ糖の分離および精製を行った。
その結果、キシロオリゴ糖を３．４ｇ（収率６８％）得た。
また、得られたキシロオリゴ糖の分析結果（ＨＰＬＣチャート）を図４に示す。
【００９６】
［実験例１２］
加水分解剤の水溶液として、濃度が１．０ｍＭの塩化鉄（ＩＩＩ）水溶液を用い、反応時間を３時間に設定したこと以外は実験例７と同様にして、キシランの加水分解、並びに、キシロオリゴ糖の分離および精製を行った。
その結果、キシロオリゴ糖を３．６ｇ（収率７２％）得た。
また、得られたキシロオリゴ糖の分析結果（ＨＰＬＣチャート）を図４に示す。
【００９７】
［実験例１３］
反応温度を１６０℃、反応時間を３時間に設定したこと以外は実験例７と同様にして、キシランの加水分解、並びに、キシロオリゴ糖の分離および精製を行った。
その結果、キシロオリゴ糖を３．２ｇ（収率６４％）得た。
また、得られたキシロオリゴ糖の分析結果（ＨＰＬＣチャート）を図４に示す。
【００９８】
［実験例１４］
反応時間を４時間に設定したこと以外は実験例７と同様にして、キシランの加水分解、並びに、キシロオリゴ糖の分離および精製を行った。
その結果、キシロオリゴ糖を３．３ｇ（収率６６％）得た。
また、得られたキシロオリゴ糖の分析結果（ＨＰＬＣチャート）を図５に示す。
【００９９】
［実験例１５］
加水分解剤の水溶液として、濃度が１．０ｍＭの塩化鉄（ＩＩＩ）水溶液を用い、反応時間を４時間に設定したこと以外は実験例７と同様にして、キシランの加水分解、並びに、キシロオリゴ糖の分離および精製を行った。
その結果、キシロオリゴ糖を３．６５ｇ（収率７３％）得た。
また、得られたキシロオリゴ糖の分析結果（ＨＰＬＣチャート）を図５に示す。
【０１００】
［実験例１６］
反応温度を１６０℃、反応時間を４時間に設定したこと以外は実験例７と同様にして、キシランの加水分解、並びに、キシロオリゴ糖の分離および精製を行った。
その結果、キシロオリゴ糖を２．７５ｇ（収率５５％）得た。
また、得られたキシロオリゴ糖の分析結果（ＨＰＬＣチャート）を図５に示す。
【０１０１】
［実験例１７］
加水分解剤の水溶液として、濃度が１．０ｍＭの塩化鉄（ＩＩＩ）水溶液を用い、反応温度を１６０℃、反応時間を４時間に設定したこと以外は実験例７と同様にして、キシランの加水分解、並びに、キシロオリゴ糖の分離および精製を行った。
その結果、キシロオリゴ糖を２．９ｇ（収率５８％）得た。
また、得られたキシロオリゴ糖の分析結果（ＨＰＬＣチャート）を図５に示す。
【０１０２】
図３〜５より、加水分解剤として硫酸鉄（ＩＩＩ）を使用し、反応温度を１４０℃、反応時間を２〜４時間とした場合（実験例７、１１、１４）、および、加水分解剤として塩化鉄（ＩＩＩ）を使用し、反応温度を１４０℃、反応時間を２〜４時間とした場合（実験例８、１２、１５）、および、加水分解剤として硫酸鉄（ＩＩＩ）を使用し、反応温度を１６０℃、反応時間を２時間とした場合（実験例９）、加水分解が進行し、オリゴ糖のピークが明確に確認された。
一方、加水分解剤として硫酸鉄（ＩＩＩ）を使用し、反応温度を１６０℃、反応時間を３〜４時間とした場合（実験例１３、１６）、および、加水分解剤として塩化鉄（ＩＩＩ）を使用し、反応温度を１６０℃、反応時間を２〜４時間とした場合（実験例１０、１７）、加水分解がより進行し、オリゴ糖のピークが少し確認されたものの、大部分が単糖にまで加水分解されていた。
また、同じ反応温度、反応時間では、加水分解剤として硫酸鉄（ＩＩＩ）に比べ、塩化鉄（ＩＩＩ）を用いた方がより加水分解反応が進行していた。
以上の結果から、反応温度を１４０℃に設定し、反応時間を２〜４時間とすることによって、所望の高純度なキシロオリゴ糖が得られることが確認できた。
また、反応温度を１６０℃に設定し、加水分解剤として硫酸鉄（ＩＩＩ）を用いて反応時間を２時間とすることによっても、所望の高純度なキシロオリゴ糖が得られることが確認できた。
また、塩化鉄（ＩＩＩ）水溶液を用いた場合、硫酸鉄（ＩＩＩ）水溶液を用いた場合よりも短い反応時間で、所望の高純度なキシロオリゴ糖が得られることが確認できた。
【０１０３】
［実験例１８］
５．０ｇのグルコマンナン（清水化学社製、プロポールＡ）を、ハイパーグラスター（耐圧ガラス工業社製、ＴＥＭ−Ｕ−１０００Ｎ型）の容量が１Ｌの反応容器に入れ、次いで、濃度が１．０ｍＭの塩化鉄（ＩＩＩ）水溶液３００ｍＬを前記反応容器に加えて密閉した。
次いで、ハイパーグラスターの設定内部温度（反応温度）を１３０℃とし、当該温度まで昇温安定化してから1時間（反応時間）、グルコマンナンの加水分解反応を行った。
反応後、加水分解物を遠心分離により可溶分と不溶分に分け、可溶分についてはイオン交換樹脂を用いて脱塩処理を行った。
このとき、加水分解物の可溶分については、電気伝導度が５．００［μｓ／ｃｍ］〜３．００［μｓ／ｃｍ］に下がるまで脱塩処理を行い、脱塩後は、糖の全量が溶出するまで洗浄を行った。
可溶分を一定程度まで濃縮した後、凍結乾燥して、可溶分（マンナンオリゴ糖）を１．１ｇ（収率７３％）得た。
【０１０４】
得られたマンナンオリゴ糖は、ＨＰＬＣ分析により同定した。分析条件を、実験例１と同様とした。また、得られた分析結果（ＨＰＬＣチャート）を図６に示す。
【０１０５】
［実験例１９］
反応時間を１．５時間としたこと以外は実験例１８と同様にして、グルコマンナンの加水分解、並びに、マンナンオリゴ糖の分離および精製を行った。
その結果、マンナンオリゴ糖を１．０３ｇ（収率６９％）得た。
また、得られたマンナンオリゴ糖の分析結果（ＨＰＬＣチャート）を図６および図７に示す。
【０１０６】
［実験例２０］
反応温度を１４０℃に設定したこと以外は実験例１８と同様にして、グルコマンナンの加水分解、並びに、マンナンオリゴ糖の分離および精製を行った。
その結果、マンナンオリゴ糖を０．９２ｇ（収率６２％）得た。
得られたマンナンオリゴ糖の分析結果（ＨＰＬＣチャート）を図６および図７に示す。
【０１０７】
［実験例２１］
反応温度を１４０℃、反応時間を２時間に設定したこと以外は実験例１８と同様にして、グルコマンナンの加水分解、並びに、マンナンオリゴ糖の分離および精製を行った。
その結果、マンナンオリゴ糖を０．８８ｇ（収率５８％）得た。
また、得られたマンナンオリゴ糖の分析結果（ＨＰＬＣチャート）を図６および図８に示す。
【０１０８】
［実験例２２］
反応温度を１４０℃、反応時間を１０分に設定したこと以外は実験例１８と同様にして、グルコマンナンの加水分解、並びに、マンナンオリゴ糖の分離および精製を行った。
その結果、マンナンオリゴ糖を１．１ｇ（収率７５％）得た。
また、得られたマンナンオリゴ糖の分析結果（ＨＰＬＣチャート）を図７に示す。
【０１０９】
［実験例２３］
反応温度を１４０℃、反応時間を３０分に設定したこと以外は実験例１８と同様にして、グルコマンナンの加水分解、並びに、マンナンオリゴ糖の分離および精製を行った。
その結果、マンナンオリゴ糖を１．１ｇ（収率７４％）得た。
また、得られたマンナンオリゴ糖の分析結果（ＨＰＬＣチャート）を図７に示す。
【０１１０】
［実験例２４］
反応温度を１２０℃、反応時間を２時間に設定したこと以外は実験例１８と同様にして、グルコマンナンの加水分解、並びに、マンナンオリゴ糖の分離および精製を行った。
得られたマンナンオリゴ糖の分析結果（ＨＰＬＣチャート）を図７に示す。
【０１１１】
［実験例２５］
反応温度を１３０℃、反応時間を２時間に設定したこと以外は実験例１８と同様にして、グルコマンナンの加水分解、並びに、マンナンオリゴ糖の分離および精製を行った。
得られたマンナンオリゴ糖の分析結果（ＨＰＬＣチャート）を図８に示す。
【０１１２】
［実験例２６］
反応温度を１６０℃、反応時間を２時間に設定したこと以外は実験例１８と同様にして、グルコマンナンの加水分解、並びに、マンナンオリゴ糖の分離および精製を行った。
得られたマンナンオリゴ糖の分析結果（ＨＰＬＣチャート）を図８に示す。
【０１１３】
図６より、反応温度を１３０℃、反応時間を１〜１．５時間とした場合（実験例１８、１９）、反応温度を１４０℃、反応時間を１〜２時間とした場合（実験例２０、２１）、加水分解反応が進行し、オリゴ糖のピークが明確に確認された。
図７より、反応温度を１４０℃、反応時間を１０分とした場合（実験例２２）、オリゴ糖のピークが僅かに確認された。一方、反応温度を１４０℃、反応時間を３０分とした場合（実験例２３）、加水分解反応が進行し、オリゴ糖のピークが明確に確認された。
図８より、反応温度を１２０℃、反応時間を２時間とした場合（実験例２４）、オリゴ糖のピークが僅かに確認された。一方、反応温度を１３０℃、反応時間を２時間とした場合（実験例２５）、加水分解反応が進行し、オリゴ糖のピークが明確に確認された。また、反応温度を１６０℃、反応時間を２時間とした場合（実験例２６）、加水分解がより進行し、オリゴ糖のピークが少し確認されたものの、大部分が単糖にまで加水分解されていた。
以上の結果から、反応温度を１４０℃に設定し、反応時間を３０分〜２時間に設定することによって、所望の高純度なマンナンオリゴ糖が得られることが確認できた。また、反応温度を１３０℃に設定し、反応時間を１〜２時間に設定することによっても、所望の高純度なマンナンオリゴ糖が得られることが確認できた。
【図１】
0005946032.tif 000008
【図２】
0005946032.tif 000009
【図３】
0005946032.tif 000010
【図４】
0005946032.tif 000011
【図５】
0005946032.tif 000012
【図６】
0005946032.tif 000013
【図７】
0005946032.tif 000014
【図８】
0005946032.tif 000015